(57)【特許請求の範囲】
【請求項１】
噴射ガスと噴射液とにより構成される内容物が充填されており、操作されることにより開弁動作を行うステムとを具備した容器本体と、該ステムに配設されており、被噴射部に当接する当接部と、前記ステムとの嵌合位置と反対側の面に形成された凹形状を有する空間部と、該空間部と前記ステムとを連通する噴射孔とを有する噴射ノズルとを具備したエアゾール容器の使用方法であって、
前記空間部の容積を０．４５ｍｌとし、
前記内容物の１０秒間の噴射量が５．０ｇから１６．０ｇの範囲に設定し、
前記噴射ノズルを前記被噴射部に当接させ前記内容物を噴射させることにより、前記噴射ノズルに振動を発生させることを特徴とするエアゾール容器の使用方法。
【請求項２】
噴射ガスと噴射液とにより構成される内容物が充填されており、操作されることにより開弁動作を行うステムとを具備した容器本体と、該ステムに配設されており、被噴射部に当接する当接部と、前記ステムとの嵌合位置と反対側の面に形成された凹形状を有する空間部と、該空間部と前記ステムとを連通する噴射孔とを有する噴射ノズルとを具備したエアゾール容器の使用方法であって、
前記空間部の容積を１．２６ｍｌとし、
前記内容物の１０秒間の噴射量が９．０ｇから１９．５ｇの範囲に設定し、
前記噴射ノズルを前記被噴射部に当接させ前記内容物を噴射させることにより、前記噴射ノズルに振動を発生させることを特徴とするエアゾール容器の使用方法。
【請求項３】
噴射ガスと噴射液とにより構成される内容物が充填されており、操作されることにより開弁動作を行うステムとを具備した容器本体と、該ステムに配設されており、被噴射部に当接する当接部と、前記ステムとの嵌合位置と反対側の面に形成された凹形状を有する空間部と、該空間部と前記ステムとを連通する噴射孔とを有する噴射ノズルとを具備したエアゾール容器の使用方法であって、
前記空間部の容積を０．４５ｍｌから１．２６ｍｌの範囲で設定し、
前記内容物の１０秒間の噴射量を９ｇから１６ｇと範囲で設定し、
前記噴射ノズルを前記被噴射部に当接させ前記内容物を噴射させることにより、前記噴射ノズルに振動を発生させることを特徴とするエアゾール容器の使用方法。
【発明の詳細な説明】
【０００１】
【発明の属する技術分野】
本発明はエアゾール容器に係り、特に使用時にノズルが振動を発生させる機能を有したエアゾール容器に関する。
【０００２】
【従来の技術】
一般にエアゾール容器は、容器本体内に内容物と共に噴射ガスが充填されており、容器本体に設けられたステムに配設されたノズルを操作することにより、噴射ガスに付勢されて内容物がノズルから噴射されるよう構成されている。
特に、養毛剤、育毛剤、整髪料、染毛剤等を内容物とするエアゾール容器では、ノズルの先端を頭皮あるいは頭髪に当接させて押すか軽く叩くことにより、ノズル面積以上の広さに養毛剤等の内容物を噴射させると共に頭皮のマッサージも行えるよう構成されたものがある。また、ノズルから噴射される噴射ガスの圧力を利用してノズルに振動を発生させ、これによりマッサージ効果を発生させるよう構成されたエアゾール容器も提供されている。
【０００３】
通常、この種のエアゾール容器に配設されるノズルは、例えば特開平９−４７６９０号公報に開示されているように、ノズルの頭皮と対向する部分に凹形状に窪んだ空間部が形成されている。よって、ノズルを頭皮に押し当てた状態では、この空間部は閉空間となる。
よって、この閉空間に内容物及び噴射ガスを噴射すると、内容物及び噴射ガスの噴射圧力によりノズルと頭皮とのいずれかの間から内容物及び噴射ガスはノズル外部に漏出する。この際、ノズルには振動が発生するが、上記したマッサージ機能を有したエアゾール容器は、この振動を利用して頭皮に対してマッサージを行うよう構成されていた。
【０００４】
【発明が解決しようとする課題】
しかるに、従来のマッサージ機能を有したエアゾール容器では、十分のマッサージ効果を得られなかったり（振動が弱い）、逆にマッサージ効果が強過ぎる場合が生じていた。また、マッサージ効果は得られるものの、内容物が必要以上に飛散したり、更に所望する位置に内容物を噴射させることができない等の問題点があった。
【０００５】
本発明は上記の点に鑑みてなされたものであり、被噴射部に対して適正なマッサージ効果を実現できると共に使用性の向上も図りうるエアゾール容器の使用方法を提供することを目的とする。
【０００６】
【課題を解決するための手段】
上記課題を解決するために本発明では、次の手段を講じたことを特徴とするものである。請求項１記載の発明は、噴射ガスと噴射液とにより構成される内容物が充填されており、操作されることにより開弁動作を行うステムとを具備した容器本体と、該ステムに配設されており、被噴射部に当接する当接部と、前記ステムとの嵌合位置と反対側の面に形成された凹形状を有する空間部と、該空間部と前記ステムとを連通する噴射孔とを有する噴射ノズルとを具備したエアゾール容器の使用方法であって、
前記空間部の容積を０．４５ｍｌとし、
前記内容物の１０秒間の噴射量が５．０ｇから１６．０ｇの範囲に設定し、
前記噴射ノズルを前記被噴射部に当接させ前記内容物を噴射させることにより、前記噴射ノズルに振動を発生させることを特徴とするものである。
【０００７】
また、請求項２記載の発明は、噴射ガスと噴射液とにより構成される内容物が充填されており、操作されることにより開弁動作を行うステムとを具備した容器本体と、該ステムに配設されており、被噴射部に当接する当接部と、前記ステムとの嵌合位置と反対側の面に形成された凹形状を有する空間部と、該空間部と前記ステムとを連通する噴射孔とを有する噴射ノズルとを具備したエアゾール容器の使用方法であって、
前記空間部の容積を１．２６ｍｌとし、
前記内容物の１０秒間の噴射量が９．０ｇから１９．５ｇの範囲に設定し、
前記噴射ノズルを前記被噴射部に当接させ前記内容物を噴射させることにより、前記噴射ノズルに振動を発生させることを特徴とするものである。
【０００８】
また、請求項３記載の発明は、  噴射ガスと噴射液とにより構成される内容物が充填されており、操作されることにより開弁動作を行うステムとを具備した容器本体と、該ステムに配設されており、被噴射部に当接する当接部と、前記ステムとの嵌合位置と反対側の面に形成された凹形状を有する空間部と、該空間部と前記ステムとを連通する噴射孔とを有する噴射ノズルとを具備したエアゾール容器の使用方法であって、
前記空間部の容積を０．４５ｍｌから１．２６ｍｌの範囲で設定し、
前記内容物の１０秒間の噴射量を９ｇから１６ｇと範囲で設定し、
前記噴射ノズルを前記被噴射部に当接させ前記内容物を噴射させることにより、前記噴射ノズルに振動を発生させることを特徴とするものである。
【０００９】
上記の請求項１乃至請求項３の発明によれば、
容器本体に配設されたステムには噴射ノズルが嵌合されており、この噴射ノズルを操作することにより、容器本体内に充填されている内容物は、噴射ガスの圧力に付勢されて噴射ノズルから噴射される。
この際、噴射ノズルの当接部は被噴射部に当接された状態で噴射が行われる。よって、凹形状を有した空間部は被噴射部との間に閉空間を形成することとなる。このように、閉空間とされた空間部に噴射ガスに付勢されて内容物が噴射されることにより、当接部と被噴射部との間には間隙が形成され、この間隙を通り内容物及び噴射ガスは、空間部の外部に抜ける。この内容物が抜ける時に噴射ノズルには振動が発生する。よって、この振動により、噴射ノズルに被噴射部に対するマッサージ効果を実現することができる。
【００１０】
ところで本発明者は、上記した従来の問題点に鑑み、空間部の容積と内容物の噴射量との関係に注目し実験を行ったところ、
▲１▼  空間部の容積を０．４５ｍｌとした時に内容物の１０秒間の噴射量を５．０ｇから１６．０ｇの範囲に設定することにより（請求項１）、
▲２▼  空間部の容積を１．２６ｍｌとした時に内容物の１０秒間の噴射量を９．０ｇから１９．５ｇの範囲に設定することにより（請求項２）、
▲３▼  空間部の容積を０．４５ｍｌから１．２６ｍｌの範囲で設定した時に内容物の１０秒間の噴射量を９．０ｇから１６．０ｇと範囲で設定することにより（請求項３）、被噴射部に対して適正なマッサージ効果を実現でき、かつ必要以上の飛散等のない使用性に優れたエアゾール容器を実現することができた。
【００１１】
【発明の実施の形態】
次に、本発明の実施の形態について図面と共に説明する。
図１は本発明の第１実施例であるエアゾール容器１０Ａを示しており、また図２は本発明の第２実施例であるエアゾール容器１０Ｂを示している。以下の説明では、この各エアゾール容器１０Ａ，１０Ｂを被噴射部を頭皮２２とする養毛剤用容器として用いた例について説明する。
【００１２】
先ず、図１に示されるエアゾール容器１０Ａについて説明する。
エアゾール容器１０Ａは、大略すると容器本体１１，ステム１３，及び噴射ノズルとなる大径ノズル１７Ａ等により構成されている。容器本体１１は例えばアルミニウム缶よりなり、その内部には噴射ガスと噴射液とにより構成される内容物（図示せず）が充填されている。本実施例では、噴射ガスとしてジメチルエーテル（ＤＭＥ）が選定されており、また噴射液としては養毛剤、育毛剤、整髪料、染毛剤等が装填されている。
【００１３】
また、ステム１３はバルブ機構１４に配設されており、またこのバルブ機構１４は容器本体１１の上部開口部を塞ぐマウンティングカップ１２の中央に取り付けられている。このステム１３は揺動及び上下動する構成とされており、この各動作を行うことによりバルブ機構１４は開弁し、内容物はステム１３の上部より噴射される。
【００１４】
大径ノズル１７Ａは、このステム１３に固定されている。この大径ノズル１７Ａは、嵌合孔１８，当接部２３Ａ，噴射孔２０，及び空間部２１Ａ等を有した構成とされている。嵌合孔１８はステム１３と嵌合する孔であり、よって嵌合孔１８がステム１３に嵌合することにより、大径ノズル１７Ａはステム１３に固定される。
【００１５】
また、当接部２３Ａは、内容物が噴射される被噴射部となる頭皮２２（図５参照）に使用時において当接する部位である。この当接部２３Ａの形状は、後述する空間部２１Ａと協働して吸盤状の形状とされている。
また、空間部２１Ａは、ステム１３との嵌合位置と反対側の面に形成されている。本実施例では、この空間部２１Ａの開口部の直径（図中、矢印Ｒ１で示す）は約２３ｍｍとされており、またその容積Ｓ１は１．２６ｍｌ（ミリリットル）とされている。
【００１６】
この空間部２１Ａの底部となる位置には、この空間部２１Ａとステム１３とを連通する噴射孔２０が形成されている。具体的には、噴射孔２０は大径ノズル１７Ａの中央に形成された通路１９によりステム１３と接続された構成とされている。
よって、前記のようにステム１３の操作（即ち、大径ノズル１７Ａの操作）によりバルブ機構１４が開弁すると、容器本体１１内の内容物は噴射ガスに付勢されてステム１３，通路１９を通り噴射孔２０から空間部２１Ａ内に噴射される。
【００１７】
次に、上記構成とされたエアゾール容器１０Ａの使用方法について説明する。
上記構成とされたエアゾール容器１０Ａは、図５に示すように、大径ノズル１７Ａの当接部２３Ａを頭皮２２に当接させて使用する。具体的には、使用者はエアゾール容器１０Ａの容器本体１１を手で把持し、大径ノズル１７Ａを頭皮に押し当てる。この際、当接部２３Ａを頭皮２２に当接させることにより、前記した空間部２１Ａの上部開口部分は頭皮２２に塞がれ、よって空間部２１Ａは閉空間を形成する。
【００１８】
この状態で、更にエアゾール容器１０Ａを頭皮２２に向け押し付けると、この押圧力によりステム１３は操作され、バルブ機構１４は開弁する。前記のようにバルブ機構１４が開弁すると、容器本体１１内に充填されている噴射ガスに付勢されて内容物（噴射ガス及び噴射液）はステム１３，通路１９を通り噴射孔２０から空間部２１Ａ内に噴射される。
【００１９】
しかるに、前記のように空間部２１Ａは、当接部２３Ａを頭皮２２に当接させることにより閉空間となっている。よって、この閉空間とされた空間部２１Ａに高いガス圧力を有した内容物（噴射ガス及び噴射液）が噴射されると、空間部２１Ａの内圧は高くなる。そして、やがて当接部２３Ａと頭皮２２との当接位置のいずれかにおいて両者２３Ａ，２２間に離間部位が発生する。図３は、当接部２３Ａと頭皮２２との間に離間部分が発生した状態を示している。
【００２０】
当接部２３Ａと頭皮２２との間に離間部分が発生すると、内容物はこの離間部分から外部に流出する（流出する様子を図中矢印で示す）。これにより、噴射液は頭皮２２に拡散される。また、この流出に伴い、大径ノズル１７Ａには振動が発生し、この振動は頭皮２２をマッサージする効果を奏する。よって、使用者は噴射液の頭皮２２上への拡散と、マッサージ効果を同時に受けることとなり、爽快感を得ることができる。
【００２１】
続いて、図２を用いて第２実施例であるエアゾール容器１０Ｂについて説明する。尚、エアゾール容器１０Ｂは、第１実施例に係るエアゾール容器１０Ａに対してノズル１７Ｂ（以下、小径ノズルという）の形状が異なるのみで他の構成は同一である。このため、図２において、図１に示した第１実施例に係るエアゾール容器１０Ａと同一の構成要素については同一の符合を付し、その説明を省略する。
【００２２】
小径ノズル１７Ｂは、このステム１３に固定されている。この小径ノズル１７Ｂは、大径ノズル１７Ａと同様に嵌合孔１８，当接部２３Ｂ，噴射孔２０，及び空間部２１Ｂ等を有した構成とされている。当接部２３Ａは使用時において頭皮２２に当接される部位であり、その形状は後述する空間部２１Ｂと協働して有底筒状の形状とされている。
【００２３】
また、空間部２１Ｂは、ステム１３との嵌合位置と反対側の面に形成されている。本実施例では、この空間部２１Ｂの開口部の直径（図中、矢印Ｒ２で示す）は約１２ｍｍとされており、またその容積Ｓ１は０．４５ｍｌ（ミリリットル）とされている。また、空間部２１Ｂの底部となる位置には、この空間部２１Ｂとステム１３とを連通する噴射孔２０が形成されており、通路１９を介してステム１３と接続された構成とされている。
【００２４】
上記した第２実施例に係るエアゾール容器１０Ｂにおいても、使用時において当接部２３Ｂを頭皮２２に当接させることにより空間部２１Ｂは閉空間とされる。そして、この閉空間とされた空間部２１Ｂに高いガス圧力を有した内容物（噴射ガス及び噴射液）が噴射されると空間部２１Ｂの内圧は高くなり、当接部２３Ａと頭皮２２との当接位置のいずれかにおいて離間部位が発生し、内容物はこの離間部分から外部に流出する。従って、第１実施例に係るエアゾール容器１０Ａと同一の原理により、本実施例に係るエアゾール容器１０Ｂにおいても振動が発生し、マッサージ効果を得ることができる。
【００２５】
ところで本発明者は、同一の容器本体１１（即ち、噴射量が同一）に対し、上記の大径ノズル１７Ａを取り付けた場合と、小径ノズル１７Ｂを取り付けた場合において、使用感が異なることを発見した。そこで本発明者は、この使用感の相違が各ノズル部１７Ａ，１７Ｂに形成されている空間部２１Ａ，２１Ｂの容積と、容器本体１１から噴射される内容物の噴射量とに関係があるものと想定し、以下の実験を行った。図４は、本発明者が実施した実験の実験結果を示している。
【００２６】
同図に示す実験は、上記した大径ノズル１７Ａ及び小径ノズル１７Ｂを噴射量の異なる容器本体１１に装着したエアゾール容器を作成（実施例Ａから実施例Ｐを作成）し、各エアゾール容器を実際に使用した際の使用感を求めたものである。実験条件は以下の通りである。
0004361650.tif 000002
▲５▼  使用感の測定
複数人（本実験では２０名）に実施例Ａから実施例Ｐのエアゾール容器を実際に使用してもらい、そのときの使用感をアンケートすることにより調べた。具体的なアンケート項目と以下の通りである。
【００２７】
・噴射時に良好なマッサージ感があるか
・地肌への直撃感があるか
・ストレスを発散しそうな感じがあるか
・地肌へ内容物を付けやすいか
・側頭部へ内容物を付けやすいか
・噴射時に内容物の必要以上の飛び散りはないか
また、アンケートを行った全ての人が上記アンケート項目に対して良好との評価を行った場合は使用感を“○”で示し、アンケートを行った人の半分以上が上記アンケート項目に対して良好との評価を行った場合は使用感を“△”で示し、アンケートを行った人の半分以下が上記アンケート項目に対して良好との評価を行った場合は使用感を“×”で示した。
【００２８】
図４に示した実験結果を検討したところ、次に述べる事項が判明した。
▲１▼  大径ノズル１７Ａ（空間部の容積：１．２６ｍｌ）を用いた場合には、内容物の平均噴射量が９．０（ｇ／１０秒）から１９．５（ｇ／１０秒）の範囲において良好な使用感を得ることができる。
▲２▼  小径ノズル１７Ｂ（空間部の容積：０．４５ｍｌ）を用いた場合には、内容物の平均噴射量が５．０（ｇ／１０秒）から１６．０（ｇ／１０秒）の範囲において良好な使用感を得ることができる。
▲３▼  上記の▲１▼及び▲２▼の結果より、空間部の容積が０．４５ｍｌから１．２６ｍｌのノズルを使用した場合には、内容物の平均噴射量が９．０（ｇ／１０秒）から〜１６．０（ｇ／１０秒）の範囲において良好な使用感を得ることができる。
【００２９】
従って、上記した▲１▼から▲３▼の条件を満たしたノズル及び容器本体を作成することにより、被噴射部に対して適正なマッサージ効果を実現でき、かつ必要以上の飛散等のない使用性に優れたエアゾール容器を実現することが可能となる。
【００３０】
【発明の効果】
上述の如く本発明によれば、被噴射部に対して適正なマッサージ効果を実現できると共に、必要以上の飛散等のない使用性の高いエアゾール容器の使用方法を実現することができる。
【図面の簡単な説明】
【図１】本発明の第１実施例であるエアゾール容器の部分切截断面図である。
【図２】本発明の第２実施例であるエアゾール容器の部分切截断面図である。
【図３】ノズルが振動する原理を説明するための図である。
【図４】平均噴射量と、空間部容器と、使用感との関係を示す図である。
【図５】本発明に係るエアゾール容器の使用態様を示す図である。
【符号の説明】
１０Ａ，１０Ｂ  エアゾール容器
１１  容器本体
１３  ステム
１４  バルブ機構
１７Ａ  大径ノズル
１７Ｂ  小径ノズル
１８  嵌合孔
２０  噴射孔
２１Ａ，２１Ｂ  空間部
２３Ａ，２３Ｂ  当接部
【図１】
0004361650.tif 000003
【図２】
0004361650.tif 000004
【図３】
0004361650.tif 000005
【図４】
0004361650.tif 000006
【図５】
0004361650.tif 000007